(57)【要約】【課題】生活シーンを選択するだけで、該生活シーンに対応した電気機器や防災・防犯関連の設備の制御・監視状態を自動的に設定でき、使用勝手に優れた住宅用制御・監視統合システムを提供することにある。【解決手段】親機１や副親機１２などのモニタ装置３７，６３のメニュー画面から生活シーンに対応した生活シーン選択釦を選択操作するだけで、親機１の制御の下で、空調機器８，照明器具１０５などの電気機器や、防犯センサ６などのセキュリティ設備が選択された生活シーンに対応する形で動作する。【選択図】        図１
2004295408.tif 000002
【特許請求の範囲】
【請求項１】
宅内に設けた住宅設備、セキュリティ機器からなる端末と、信号伝送路を介して制御対象の端末に対して制御情報を送り、監視対象の端末から送信される監視情報を受け取る制御・監視機能とを具備している制御・監視手段と、制御・監視手段の動作モードを設定するモード設定手段とから少なくとも構成される住宅用制御・監視統合システムにおいて、
上記制御・監視手段の動作モードとして複数の生活シーンに対して各別に対応付けてある動作モードを設けるとともに、各動作モード毎に制御対象の端末及びその制御内容と、監視対象の端末と、該端末の監視情報に基づいて制御対象となる端末及びその制御内容とを予め設定し、
上記モード設定手段によって動作モードが選択設定されると、当該動作モードに対応する端末の制御・監視を行うことを特徴とする住宅用制御・監視統合システム。
【請求項２】
上記制御・監視手段には、インターネットに接続される通信機能を備え、
移動体通信網を介してインターネットに接続される移動体通信端末を、上記制御・監視手段へ上記移動体通信網とネットワークとを通じて「就寝」若しくは「在宅」の生活シーンに対応する動作モードから「外出」の生活シーンに対応する動作モードへ切り替える設定情報を送るモード設定手段として用い、
上記制御・監視手段は、「就寝」若しくは「在宅」の生活シーンに対応する動作モード設定下で、上記設定情報を上記通信機能を通じて受信すると、動作モードを「外出」の生活シーンに対応する動作モードに切り替え設定することを特徴とする請求項１記載の住宅用制御・監視統合システム。
【請求項３】
少なくとも玄関子器と、該玄関子器を接続したインターホン親器とからなるインターホン系を付設し、上記外出の動作モード時に防犯センサからなる端末や玄関子器の呼出しに連動する監視カメラからなる端末が撮像した画像情報を対応する上記移動体通信端末へ転送させる画像転送機能を上記制御・監視手段に備えていることを特徴とする請求項２記載の住宅用制御・監視統合システム。
【請求項４】
上記「在宅」の生活シーンに対応する動作モードの設定時に当該動作モードの制御・監視動作へ移行する前に、防犯に対応する端末の制御・監視の内容変更を受け付ける期間を作る機能を制御・監視手段に備えていることを特徴とする請求項１乃至３の何れか記載の住宅用制御・監視統合システム。
【請求項５】
上記モード設定手段から「外出」の生活シーンに対応する動作モードから他の生活シーンに対応する動作モードへ切り替える設定情報を受け取ったときに、暗証番号の入力を設定手段側へ要求し、該要求に呼応して入力された暗証番号と予め登録されている暗証番号との一致時にモード切り替え設定を許可する暗証番号照合機能を制御・監視手段に備えていることを特徴とする請求項１乃至４の何れか記載の住宅用制御・監視統合システム。
【請求項６】
一つの生活シーンに対応して設定される動作モードを複数準備し、上記モード設定手段に設けた動作モードを選択設定するための選択釦を、上記動作モード毎に対応付けるセット機能を設けていることを特徴とする請求項１乃至５の何れか記載の住宅用制御・監視統合システム。
【請求項７】
上記制御・監視手段の制御・監視機能には、「外出」の生活シーンに対応する動作モードの設定時に、予め対応付けてある照明器具からなる端末を制御対象として予め設定されている時間帯だけ点灯させる制御を行い、「就寝」の生活シーに対応する動作モードの設定時に、就寝の邪魔とならならない照明器具からなる端末を点灯させる自動照明機能を含むことをことを特徴とする請求項１乃至６の何れか記載の住宅用制御・監視統合システム。
【請求項８】
電力消費を監視する電力監視機器を端末として備え、上記制御・監視手段の制御・監視機能には、電力監視機器からの監視情報を取り込んで電力消費を監視し、予め設定されている電力値を超える場合に電力監視機器に対応付けてある空調設備からなる端末に対して運転を停止させ、動作モードが「外出」以外の生活シーンに対応する動作モード下で電力消費が一定電力以下に戻ると当該端末の運転させる制御を行う制御機能を含むことを特徴とする請求項１乃至７の何れか記載の住宅用制御・監視統合システム。
【請求項９】
上記制御・監視手段の各生活シーンに対応する動作モードの端末の制御・監視内容を、複数世帯の各世帯毎に設定する機能を具備していることを特徴とする請求項１乃至８の何れか記載の住宅用制御・監視統合システム。
【発明の詳細な説明】
【０００１】
【発明の属する技術分野】
本発明は、住宅用制御・監視統合システムに関するものである。
【０００２】
【従来の技術】
従来、住宅用のインターホン系のシステムとしては、親機にＴＶカメラを備えた玄関（ドアホン）子器を接続し、この玄関子器との通話時に玄関子器のＴＶカメラで捉えた来訪者の姿の映像をモニタ装置で映して来訪者を確認することができるとともに、親機に接続した副親機においても親機と同様にモニタ装置を設け、ドアホン子器に対して副親機が応答した場合には副親機のモニタ装置で来訪者の姿を映すことができるものがある。（例えば、特許文献１）
【０００３】
【特許文献１】
特開２００２−２２３４３６号公報（図１）
【０００４】
【発明が解決しようとする課題】
ところで、前記の従来例で用いられる親機には防犯センサや、火災センサ、ＪＥＭ−Ａ規格の電気錠、空調設備等を接続することができる制御監視機能を備えたものもあるが、機能が制限されるためユーザの生活シーンに合わせた多様なニーズには応じることができなかった。
【０００５】
そのようなニーズに応えるために制御と監視とを統合したシステムが希求されている。
【０００６】
本発明は、前記の点に鑑みて為されたもので、その目的とするところは生活シーンを選択するだけで、該生活シーンに対応した電気機器や防災・防犯関連の設備の制御・監視状態を自動的に設定でき、使用勝手に優れた住宅用制御・監視統合システムを提供することにある。
【０００７】
【課題を解決するための手段】
請求項１の発明では、宅内に設けた住宅設備、セキュリティ機器からなる端末と、
信号伝送路を介して制御対象の端末に対して制御情報を送り、監視対象の端末から送信される監視情報を受け取る制御・監視機能とを具備している制御・監視手段と、制御・監視手段の動作モードを設定するモード設定手段とから少なくとも構成される住宅用制御・監視統合システムにおいて、
上記制御・監視手段の動作モードとして複数の生活シーンに対して各別に対応付けてある動作モードを設けるとともに、各動作モード毎に制御対象の端末及びその制御内容と、監視対象の端末と、該端末の監視情報に基づいて制御対象となる端末及びその制御内容とを予め設定し、
上記モード設定手段によって動作モードが選択設定されると、当該動作モードに対応する端末の制御・監視を行うことを特徴とする。
【０００８】
請求項２の発明では、請求項１の発明において、上記制御・監視手段には、インターネットに接続される通信機能を備え、
移動体通信網を介してインターネットに接続される移動体通信端末を、上記制御・監視手段へ上記移動体通信網とネットワークとを通じて「就寝」若しくは「在宅」の生活シーンに対応する動作モードから「外出」の生活シーンに対応する動作モードへ切り替える設定情報を送るモード設定手段として用い、
上記制御・監視手段は、「就寝」若しくは「在宅」の生活シーンに対応する動作モード設定下で、上記設定情報を上記通信機能を通じて受信すると、動作モードを「外出」の生活シーンに対応する動作モードに切り替え設定することを特徴とする。
【０００９】
請求項３の発明では、請求項２の発明において、少なくとも玄関子器と、該玄関子器を接続したインターホン親器とからなるインターホン系を付設し、上記外出の動作モード時に防犯センサからなる端末や玄関子器の呼出しに連動する監視カメラからなる端末が撮像した画像情報を対応する上記移動体通信端末へ転送させる画像転送機能を上記制御・監視手段に備えていることを特徴とする。
【００１０】
請求項４の発明では、請求項１乃至３の何れかの発明において、上記「在宅」の生活シーンに対応する動作モードの設定時に当該動作モードの制御・監視動作へ移行する前に、防犯に対応する端末の制御・監視の内容変更を受け付ける期間を作る機能を制御・監視手段に備えていることを特徴とする。
【００１１】
請求項５の発明では、請求項１乃至４の何れかの発明において、上記モード設定手段から「外出」の生活シーンに対応する動作モードから他の生活シーンに対応する動作モードへ切り替える設定情報を受け取ったときに、暗証番号の入力を設定手段側へ要求し、該要求に呼応して入力された暗証番号と予め登録されている暗証番号との一致時にモード切り替え設定を許可する暗証番号照合機能を制御・監視手段に備えていることを特徴とする。
【００１２】
請求項６の発明では、請求項１乃至５の何れかの発明において、一つの生活シーンに対応して設定される動作モードを複数準備し、上記モード設定手段に設けた動作モードを選択設定するための選択釦を、上記動作モード毎に対応付けるセット機能を設けていることを特徴とする。
【００１３】
請求項７の発明では、請求項１乃至６の何れかの発明において、上記制御・監視手段の制御・監視機能には、「外出」の生活シーンに対応する動作モードの設定時に、予め対応付けてある照明器具からなる端末を制御対象として予め設定されている時間帯だけ点灯させる制御を行い、「就寝」の生活シーに対応する動作モードの設定時に、就寝の邪魔とならならない照明器具からなる端末を点灯させる自動照明機能を含むことをことを特徴とする。
【００１４】
請求項８の発明では、請求項１乃至７の何れかの発明において、電力消費を監視する電力監視機器を端末として備え、上記制御・監視手段の制御・監視機能には、電力監視機器からの監視情報を取り込んで電力消費を監視し、予め設定されている電力値を超える場合に電力監視機器に対応付けてある空調設備からなる端末に対して運転を停止させ、動作モードが「外出」以外の生活シーンに対応する動作モード下で電力消費が一定電力以下に戻ると当該端末の運転させる制御を行う制御機能を含むことを特徴とする。
【００１５】
請求項９の発明では、請求項１乃至８の何れかの発明において、上記制御・監視手段の各生活シーンに対応する動作モードの端末の制御・監視内容を、複数世帯の各世帯毎に設定する機能を具備していることを特徴とする。
【００１６】
【発明の実施の形態】
以下本発明を一実施形態により説明する。
【００１７】
図１は本発明の一実施形態のシステム全体を示しており、このシステムはシステムの中核となる親機１を中心として、インターホン機能、端末である住宅設備の制御監視機能、防犯、防災等のセキュリティ機能を統合したものであり、親機１にはＴＶカメラ付きの玄関子器（以下ドアホン子器という）２や、ＴＶカメラ無しの玄関（ドアホン）子器２’、付設している人感センサ等に連動して起動するセンサカメラ３ａ、更に玄関ポーチなどに設けられる監視カメラ３ｂ等を接続する接続部２０（図２参照）、呼出用押し釦装置４、火災センサ５ａ、ガスセンサ５ｂ、防犯センサ（防犯スイッチ）６、非常用押し釦装置７等を接続する接続部２１（図２参照）、ＪＥＭ−Ａ規格の空調機器８や電気錠９を接続する接続部２２、更に警報報知用の増設ベル１０、増設スピーカ１１等を接続する接続部２３（図２参照）ともに、宅内に必要に応じて設けられる副親機１２…や１２ａ…を伝送線１３を介して接続する接続部２４（図２参照）、汎用通信系のＲＳ４８５（尚ＲＳ４８５以外のＲＳ２３２Ｃ、ＲＳ４２２等の汎用シリアル通信を用いても良い）用の２線のバス１４を接続する接続部２５（図２参照）、１０ＢＡＳＥ−Ｔのケーブル１５を接続する接続部２６（図２参照）、一般の電話機１６をインターホンのハンドセットとして使用可能とするドアホンアダプタ１７とドアホン子器２、２’との間の通話音声を通す通話線１８を接続する接続部２７（図２参照）、更に異常発生時等に通報出力を自動通報機１９に送る接点出力部２８（図２参照）とを備えている。
【００１８】
親機１は上述のように各種接続部２０〜２７及び接点出力部２８を備えたものであるが、その内部には次の回路要素を備えている。
【００１９】
つまり、親機１の全体の信号処理・制御を担うＣＰＵ部３０と、前記接続部２０の何れかに接続された信号線８０を通じてドアホン子器２、２’から送られてくる呼出信号を検出してその検出信号をＣＰＵ部３０に出力するドアホン呼出検出回路３１と、接続部２１に接続される各種センサ及びスイッチ類の信号をＣＰＵ部３０との間で内部バス３２を介して通信を行うためのＩ／Ｏポート３３と、前記各接続部２０を通じて取り込まれる直接接続のＴＶカメラ付きドアホン子器２、２’から周波数多重化によって送られてくる音声信号及び映像信号、或いは監視カメラ３ｂやセンサカメラ３ａの映像信号をＣＰＵ部３０の制御の下で選択するセレクタ回路３４と、セレクタ回路３４を通じて取り込まれたＦＭ変調されている映像信号を復調するビデオ復調回路３５と、復調されたアナログの映像信号をデジタル画像データにコンバートするビデオコンバータ３６と、ビデオコンバータ３６からの画像データの所定位置に付加して表示したり或いは単独で表示するためのグラフィックデータ（画像データ）を生成し、ビデオコンバータ３６からの画像データと合成したり、ビデオコンバータ３６からの画像データの画質補正やエフェクト処理を行う等して、液晶ディスプレイからなるモニタ装置３７及び副親機１２…に設けてある液晶ディスプレイからなるモニタ装置６３で映し出すための画像データを生成するグラフィックス生成回路３９と、グラフィックス生成回路３９から出力される画像データをアナログの映像信号にコンバートするビデオコンバータ４０と、このビデオコンバータ４０から出力される映像信号をＦＭ変調して送出するビデオ変調回路４１と、前記セレクタ回路３４を介して取り込んだドアホン子器２、２’からの音声信号を取り込んで、副親機１２、１２ａへ送出する処理及び副親機１２、１２ａ側からの音声信号を取り込んでドアホン子器２、２’へ送出する処理を行い、ドアホン子器２、２’と副親機１２、１２ａとの間の通話制御をＣＰＵ部３０の制御の下で行う通話処理回路４２と、副親機１２、１２ａから周波数多重によって送出されてくるＦＳＫ信号により構成された制御信号から操作情報たる制御コマンドを抽出してＣＰＵ部３０へ受け渡すとともにＣＰＵ部３０で生成された制御コマンド（制御情報）を副親機１２、１２ａ側へ制御信号として送出する制御コマンドＩ／Ｆ回路４３と、ビデオ変調回路４１からの映像信号とドアホン子器２、２’の音声信号とを接続部２４を通じて伝送線１３へ送出させ、また副親機１２側からの音声信号を抽出するための結合部５６を備えている。
【００２０】
尚、グラフィックス生成回路３９の機能としては、例えば、画像へのタッチスイッチの付加表示、ドアホン子器２、２’のＴＶカメラや監視カメラ３ｂの撮像映像の合成表示や、スーパーインポーズ表示、各種センサやスイッチ類などの状態付加表示、後述する録画・録音情報の付加表示、画質補正や画像エフェクト処理など、様々な画像加工態様が含まれる。
【００２１】
ここでビデオ復調回路３５、ビデオコンバータ３６、グラフィックス生成回路３９、ビデオコンバータ４０、ビデオ変調回路４１及びビデオＲＡＭ４４により画像処理手段を構成する。
【００２２】
そして更に録画、録音や各種データの記憶手段としてフラッシュＲＯＭ４５、ワークエリアやデータの一時格納のためのＲＡＭ４６を備えている。更に接続部２２に制御線８１を通じて接続される日本電機工業会の規格（ＪＥＭ−Ａ）の電気錠９や空調機器８に対して制御信号の送信或いは動作モニタ信号の受信を行うなうＩ／Ｆ回路４７と、内部バス３２を通じてＣＰＵ部３０から受け取った制御信号をＩ／Ｆ回路４７に送るとともにＩ／Ｆ回路４７から受け取る動作モニタ信号を内部バス３２を通じてＣＰＵ部３０に送るためのＩ／Ｏポート４８を備えている。このＩ／Ｏポート４８はＣＰＵ部３０からの制御信号に基づいて接点出力部２８をオンさせて接点出力を自動通報機１９へ送るようにもなっている。
【００２３】
またドアホン子器２、２’との通話や副親機１２、１２ａとの通話が可能なようにハンズフリーの通話制御を行う音声処理回路４９と、音声入出力手段を構成するマイクＭＩＣ、スピーカＳＰ、アンプ５３ａ、５３ｂを備えている。またこの親機１で各種操作が可能なようにモニタ装置３７の表示画面上にタッチパネル５０を設けるとともに操作座標情報の取り込みなどを行うタッチパネルコントローラ５１を設けている。更にタッチパネル５０以外に各種操作釦と表示素子とを備えた操作表示部５２が設けられ、その操作情報をＣＰＵ部３０が取り込むようになっている。操作表示部５２に設けられる操作釦としては、ドアホン子器２、２’との間の通話を行うための通話釦Ｓ０、モニタ装置３７やモニタ装置６３のモニタ画面に基本となるメニュー画面（図７）参照を呼出すためのメニュー釦Ｓ１、室内呼出のための室内呼出釦Ｓ２、各所に設置されている監視カメラ３ａ等の映像のモニタを行うためのモニタ釦Ｓ３、留守中の処理を行うための留守釦Ｓ４や了解釦Ｓ５、更に各種表示ランプが設けられている。
【００２４】
また外部のＲＳ４８５用のバス１４が接続される接続部２５と内部バス３２との間にはＲＳ４８５用のインターフェース部５４を設け、外部のバス１４に接続されている後述する各種端末とＣＰＵ部３０との間で制御・監視の情報の授受がＲＳ４８５を用いて行えるようになっている。
【００２５】
更に外部の１０ＢＡＳＥ−Ｔ用のケーブル１５を通じて後述するゲートウェイ４００とＣＰＵ部３０との間で情報の授受ができるように内部バス３２と接続部２６との間に１０ＢＡＳＥ−Ｔ用のインターフェース部５５を設けている。
【００２６】
一方、モニタ装置付きの副親機１２は図３に示すように親機１に接続した伝送線１３を接続する接続部６０を備え、内部回路としては副親機１２の制御と、信号処理を行うためのＣＰＵ部６１と、親機１から送られてくるＦＭ変調された映像信号を復調するためのビデオ復調回路６２と、この復調された映像を映すための液晶ディスプレイからなるモニタ装置６３と、親機１側から送られくる呼出信号や報知音を再生してスピーカＳＰより報知し、またマイクＭＩＣとスピーカＳＰとを用いて親機１を介してドアホン子器２、２’や親機１や他の副親機１２、１２ａとの間でハンズフリーによる双方向の通話を可能とする音声処理回路６４と、前記親機１の操作表示部５２と同様に通話釦Ｓ０、メニュー釦Ｓ１、室内呼出釦Ｓ２、モニタ釦Ｓ３、留守釦Ｓ４及び了解釦Ｓ５を備えた操作部６５と、モニタ装置６３の画面に設けたタッチパネル６６と、親機１を通じて送られてくる操作部位を示す映像に対応したタッチ操作があると、タッチパネル６６上での操作位置を示す座標情報を操作情報としてＣＰＵ部６１に受け渡すタッチパネルコントローラ６７と、前記操作部６５に備わった前記通話釦Ｓ０…を含む手動操作用の操作釦の操作情報を取り込んでＣＰＵ部６１へ受け渡すためのスイッチ入力部６８と、タッチパネル６６の操作に対応してタッチパネルコントローラ６７から出力される座標情報及びスイッチ入力部６８の操作情報に基づいてＣＰＵ部６１により生成出力される制御コマンドをＦＳＫ信号形式に変換して接続部６０を介して送出するとともに親機１からの制御コマンドを抽出するための制御コマンドＩ／Ｆ回路６９と、操作部６５での操作状態やシステムの状態を表示する表示ランプを設けた表示部７０をＣＰＵ部６１からの制御信号により駆動するための表示駆動部７１とを備えている。尚７２はマイクＭＩＣから入力された送話用の音声信号を増幅するためのアンプ、７３は音声処理回路６４から出力される受話用の音声信号を増幅するためのアンプである。また副親機１２にも増設スピーカ７４を接続するための手段（図示せず）が備わっている。
【００２７】
モニタ無しの副親機１２ａはモニタ装置６３とビデオ復調回路６２、タッチパネル６６、タッチパネルコントローラ６７を設けていない点で副親機１２と相違するが、その他の回路構成は副親機１２と同じ構成となっている。
【００２８】
ところで本実施形態のシステムではＲＳ４８５用のバス１４に接続されている端末の制御監視を親機１のＣＰＵ部３０の制御監視機能の下で行えるようになっている。次に本実施形態のシステムに用いる端末の例を説明する。
【００２９】
まず、セキュリティ機器の端末として小電力無線を利用するワイヤレスデータ出力受信機２００及びワイヤレスデータ入力送信機２０１とがある。ワイヤレスデータ出力受信機２００は、窓の開閉を監視し、窓開閉検知時に無線電波によって検知信号を送信する防犯センサ１０１、門扉や塀からの侵入者の監視を光ビームを用いて行い、侵入者が検知されると無線電波によって検知信号を送信する防犯センサ１０２、更に家人が携行し、非常時に操作することで操作情報を無線電波で送信する携帯用コール釦装置１０３ａ、更に適所に配置され、操作時に操作信号を無線電波で送信するコール釦装置１０３ｂ、更にシステム全体に設置される防犯・防災系のセンサ類の検知を有効とする警戒セットとそのリセットの信号を無線電波で送信する警戒セット／リセット操作器１０４等に対処してこれらの電波信号を受信し、受信した検知や操作の情報をバス１４を通じて親機１へ送るものである。
【００３０】
警戒セット／リセット操作器１０４は本システムを設置する住宅が大きく門扉の位置から家屋まで離れている場合に有効なもので、例えば家を出るときに家屋から離れた位置で警戒セットの信号を送信することができ、また帰宅したときにも外部からリセットの信号を送信することができ、そのため有線式による操作器を門扉等に設ける場合に比して配線等を必要としないという利点がある。
【００３１】
次に住宅設備系の端末としては、赤外線リモコンによる遠隔制御が可能な照明器具１０５の操作制御を、親機１のＣＰＵ部３０の制御の下で行う照明マスタリモコン２０２がある。この照明マスタリモコン２０２は、照明器具１０５を取り付けた部屋に設けられる照明サテライトリモコン２０３との間で無線電波（小電力無線）により制御情報の送信と動作確認のための返信信号の受信とを行うようなっている。
【００３２】
照明マスタリモコン２０２は図４（ａ）に示すように構成されており、親機１側から操作したい照明器具１０５の識別データと操作内容を示す制御情報がインターフェース部２０２ａを介して受信すると、内部のＣＰＵ部２０２ｂの制御の下で無線送受信部２０２ｃから無線電波により制御情報を送信するようになっている。一方照明サテライトリモコン２０３は図４（ｂ）に示すように構成されており、照明マスタリモコン２０２からの制御情報を無線送受信部２０３ａにより受信し、ＣＰＵ部２０３ｂは制御情報に含まれる識別データが予めフラッシュＲＯＭ等からなる記憶部２０３ｄに登録されている識別データと一致したときに赤外線送信部２０３ｃから制御情報に対応する制御信号を赤外線により送信するとともに、返信信号を無線送受信部２０３ａを通じて無線電波により照明マスタリモコン２０２へ送信する。照明マスタリモコン２０２では、返信信号を無線送受信部２０２ｂで受信すると、ＣＰＵ部２０２ｃの制御の下で動作確認情報をインターフェース部２０２ａを通じて所定形式の信号に変換して親機１へ送信する処理を行う。
【００３３】
尚照明サテライトリモコン２０３の赤外線送信部２０３ｃは対象となる照明器具１０５のメーカに対応した形式の赤外線信号を送信することができるように、メーカ別に設定ができる機能を備えているものとする。
【００３４】
また住宅設備系としては電気錠１０６の施錠／解錠の操作と開戸／閉戸の監視とを行うための電気錠操作器２０４がある。
【００３５】
この電気錠操作器２０４は、電波等を用いた非接触式のカードキー２０５に対応するもので、図５に示すようにカードキー２０５に書き込まれている認識コードを非接触で読み取るリーダ部２０４ａと、電気錠１０６のデッドボルトを駆動することにより施錠／解錠を行う駆動部２０４ｂと、電気錠１０６のトリガに連動してドア（或いは戸）の開戸／閉戸を検知する検知スイッチの検知情報を取り込む開閉検知部２０４ｃと、インターフェース部２０４ｄと、ＣＰＵ部２０４ｅとから構成されている。この電気錠操作器２０４の動作を簡単に説明する。
【００３６】
まず電気錠操作器２０４のリーダ部２０４ａはカードキー２０５が近接すると、カードキー２０５に予め書き込まれている識別コードを読み取り、ＣＰＵ部２０４ｅはこの読み取った識別コードの情報をインターフェース部２０４ｄを介してバス１４により親機１へ送る。そして、親機１ではＣＰＵ部３０により予め登録されている識別コードか否かの認証を行った後、許可されたカードキー２０５の場合には認証情報を電気錠操作器２０４へ送る処理が為され、電気錠操作器２０４ではインターフェース部２０４ｄを通じて認識情報を受け取ると、駆動部２０４ｂを通じてデッドボルトを施錠又は解錠方向に駆動する制御を行う。またＣＰＵ部２０４ｅは開閉検知部２０７の検知信号の変化を監視し、変化があると検知情報をインターフェース部２０４ｅを通じて親機１へ送信する機能を備えている。
【００３７】
この電気錠操作器２０４に対応する機能として親機１のＣＰＵ部３０は、上述したように識別コードの情報が送られてくると予め登録されている識別コードと家人との関係テーブルから識別コードの認証を行い、一致するものがあれば前記の認証情報を作成して返信する機能と、カードキー２０５による操作履歴をフラッシュＲＯＭ４５に蓄積格納する機能、警戒セット状態下での解錠操作であれば警戒セットを解除する機能と、警戒セット状態下で且つ前記解除操作がない状態で開戸を示す検知情報があると警報処理を行う機能と、警戒セット時に開戸状態の場合にはそれを必要に応じて知らせる注意処理を行う機能とを備えている。
【００３８】
さて更に住宅設備系の端末としては、ガスメータ１０７、水道メータ１０８、電力メータ１０９からの計量情報を受け取る計量情報盤２０８がある。この計量情報盤２０８は図６に示すようにＣＰＵ部２０８ａと、各メータ１０７〜１０９とからの計量データを受け取る入力部２０８ｂと、受け取った計量データをＣＰＵ部２０８ａの制御の下で所定形式の信号に変換してバス１４を通じて親機１へ送るインターフェース部２０８ｃを備えている。
【００３９】
この計量情報盤２０８に対応する親機１のＣＰＵ部３０の機能としては、各計量データを積算して当月の現時点の各消費量を求めるとともに料金換算を行う機能と、各消費量をＣＯ２換算する機能と、これら求めた消費量や料金、ＣＯ２  換算量をフラッシュＲＯＭ４５に蓄積保存するとともに、これらの保存データを操作指示に応じてグラフや表などにより親機１のモニタ装置３７や副親機１２のモニタ装置６３に表示させる機能と、現在の電力消費状態を監視して、この監視データを親機１へ送って後述するピークカットの制御に操作指示に応じて親機１のモニタ装置３７や副親機１２のモニタ装置６３に表示させる機能と、が備わっている。
【００４０】
更に住宅設備用端末として、既存の電力線３００に接続され、電力線搬送の信号により監視／制御用の端末を内蔵した各種機器（例えば照明器具３０１、分電盤３０２、電気錠３０３、その他設備３０４等）に対して制御を可能とするために、バス１４を通じて送受する信号と電力線搬送用信号との間のプロトコル変換を行うユニット２０９も準備され、該ユニット２０９をバス１４と電力線３００との間に介在接続することもできるようになっている。これにより既存の電力線３００を信号線として用いる電力線搬送系の各種機器の制御／監視が親機１を通じて行うことが可能となる。尚電力線搬送に使用する信号形式としては特に限定されるものではないが、汎用の形式を使うことでユニット２０９の汎用化が図れる。
【００４１】
前記自動通報機１９は、公衆回線６００に接続され、親機１の接点出力部２８の接点出力が入力すると、予め登録している電話番号の電話機（一般電話機、携帯電話機Ｔの何れでも良い）に対して自動通報を行うもので、異常が発生したことを音声により通報するようになっている。また自動通報機１９にはドアホン転送機能付きの電話機１６を用いてドアホン子器２、２’との間或いはワイヤレス子器５００とドアトークターミナル５０１を介して通話を行う系を設けた場合には、予め登録している電話番号の電話機に来客呼出を転送する機能を備えている。
【００４２】
図１に示す本実施形態のシステムでは、宅内にファイヤーウォール機能やＷＥＢサーバ機能や、プロトコル変換機能とを備えたゲートウェイ４００と接続部２６との間に１０ＢＡＳＥ−Ｔのケーブル１５を接続することで、宅内ＬＡＮやインターネット６０１へ接続することができるようになっている。
【００４３】
ゲートウェイ４００での宅内ＬＡＮ及びインターネット６０１との間のデータの授受についての制御はシステム側の親機１からＲＳ４８５のバス１４を通じて行われる。
【００４４】
ここで宅内ＬＡＮは、図１に示すようにパーソナルコンピュータ４０２や、ＷＥＢ（ＷＥＢ）カメラ４０３がハブ４０４を通じて接続され、更にルータ機能を備えたＡＤＳＬモデム４０１と、スプリッタ４０５を通じて公衆回線６００からＡＤＳＬにより例えばインターネット接続業者を通じてインタ−ネット６０１に接続されている。勿論インターネット６０１への接続はＣＡＴＶ網や、その他の通信網を通じて行うようにしても良く、図１は一例を示しているに過ぎない。尚ＡＤＳＬを用いる場合にはスプリッタ４０５を通じて公衆回線６００に自動通報機１９を接続する。
【００４５】
またインターネット６０１には本発明のシステムに対するサービス提供者のセンターサーバ６０２が接続されており、このセンターサーバ６０２を通じて、後述する各種サービスを受けることができるようになっている。
【００４６】
またインターネット６０１に接続することで、インターネット６０１の端末となるパーソナルコンピュータや携帯電話機Ｔ等を通じて本発明のシステムとの間で情報の授受が可能となり、これによりインターネット端末からインターネット６０１と、親機１とを通じて本発明のシステム内の機器の操作／監視を可能としている。
【００４７】
ゲートウェイ４００のＷＥＢサーバ機能は、ＬＡＮ及びインターネット関連機能の設定を親機１に搭載しているＷＥＢブラウザで行うためのＷＥＢページを親機１へ提供するようになっている。ファイヤーウォール機能はインターネットを通じて不法に本システムへ侵入されるのを防止するためのものである。
【００４８】
次に本発明のシステムの動作を説明する。
【００４９】
まず、システムが稼働すると、待機状態に入る。この待機状態では各モニタ装置３７、６３は画面が消えている状態にあるが、通話呼出等のトリガによって画面表示が親機１のＣＰＵ部３０の制御によって開始されるようになっている。
【００５０】
さて待機状態で親機１又は副親機１２のメニュー釦Ｓ１が操作されると、親機１のＣＰＵ部３０の制御の下で、操作があった親機１又は副親機１２のモニタ装置３７又は６３が動作して図７に示す基本のメニュー画面が表示される。
【００５１】
尚副受信機１２の画面表示は親機１側から送られてくる映像信号の再生による。このメニュー画面では本システムが備えている機能の選択釦…が表示され、この選択釦…をユーザがタッチ操作すると、親機１の場合にはその座標情報が親機１のＣＰＵ部３０へタッチパネルコントローラ５１を通じて送られる。また副親機１２では座標情報を親機１へ送信して、ＣＰＵ部３０に取り込まれる。
ここで本実施形態システムは、図７の基本のメニュー画面において、生活シーンの動作モードを選択するシーン選択釦Ｂａ〜Ｂｄ（モード設定手段）を左半分の下側に表示し、また右側には、タイマ機能、伝言機能、録画・録音再生機能、住宅設備（照明器具１０５、３０１、空調機器８等）のコントロール機能等に対応する操作釦Ｂ１…を表示させる表示欄を設け、更に上記シーン選択釦Ｂａ〜Ｂｄの情報にはインターネット６０１を通じてセンターサーバ６０２から提供される当該住宅の存在地域の天気予報の情報を表示するエリア部位ＷＡとなっている。
【００５２】
尚操作釦Ｂ１…の表示はスクロール釦Ｂ１１ａ、Ｂ１１ｂの操作でスクロールさせることができ、カメラモニタ、セキュリティ、省エネ、設定、センターサーバ接続等の操作・設定用の選択釦を表示させることができるようになっている。
【００５３】
上記シーン選択釦Ｂａ〜Ｂｄは「外出」、「就寝」、「在宅１」、「在宅２」の夫々の生活シーンに対応した動作モードを選択するためのもので、押し操作されると、夫々の生活シーンに合わせて予め親機１のフラッシュＲＯＭ４５に設定登録されている制御内容及び監視内容に基づいて防犯センサ６等の防犯設備、照明器具１０５等の照明設備、電気錠９等の電気錠設備、空調機器８等の空調設備の制御と監視とを行う。
【００５４】
一方待機状態において、ドアホン子器２、２’の何れかから呼出し操作があってドアホン子器２，２’からの呼出信号を受けた親機１のＣＰＵ部３０では、まず親機１及び副親機１２、１２ａで夫々呼出音をスピーカＳＰで報知させる処理を行う。
【００５５】
ここで当該子器がＴＶカメラ付きではない子器２’の場合には、親機１、副親機１２のモニタ装置３７、６３では当該子器の設置場所と呼出中であることを示す文字表示を行うが、ＴＶカメラ付きドアホン子器２の場合には、図８（ａ）に示すようにＴＶカメラで捉えた来訪者の映像Ｍをモニタ装置３７（又は６３）に映し出させるとともに、通話時に対応した機能、例えば当該位置の電気錠９又は１０６の操作釦Ｂ２０、映像通話の操作釦Ｂ２１、録画録音の操作釦Ｂ２２、更に来訪者に引き上げてもらうための操作釦Ｂ２９のアイコン及びこれらアイコンを非表示とするための操作釦Ｂ０を画面下に映し出し、更に操作釦２０に対応させて電気錠の状態を示すアイコンＩ１を映し出す。また対応する場所を示す文字（この場合玄関１）と「呼出中」の文字とを表示するとともに待機状態へ戻るための「終了」釦ＢＥを表示する。
【００５６】
このモニタ装置３７，６３のモニタ画面で映し出される映像は、親機１のグラフィック生成回路３９において生成されるアイコンや文字のグラフィックデータ（画像データ）と、ＴＶカメラの画像データとを合成した画像データによるものである。
【００５７】
さて来訪者とユーザ（家人）が通話を行う場合には、親機１又は副親機１２（又は１２ａ）の通話釦Ｓ０を押し操作すれば良く、この操作があると親機１のＣＰＵ部３０の制御の下で親機１又は副親機１２（又は１２ａ）とドアホン子器２（又は２’）との間で通話処理回路４２を介して通話路が確立され、来訪者と家人との間の通話可能となる。
【００５８】
ここでＴＶカメラ付きドアホン子器２と親機１又は副親機１２との間の通話の場合にはモニタ画面上の映像通話の操作釦Ｂ２１をタッチ操作すると、図８（ｂ）の映像通話関係の詳細設定の表示画面に切り替わり、詳細設定ができる。
【００５９】
またモニタ画面上で録画録音の操作釦Ｂ２２がタッチ操作されると、図９に示す画面に切り換わる。また画面右上の「終了」釦ＢＥがタッチ操作されれば、この操作に対応して親機１のＣＰＵ部３０は通話を行った親機１又は副親機１２のモニタ画面を待機状態に戻す処理を行うとともに、待機状態の動作に戻る。
【００６０】
さて上述のようにモニタ画面上の操作釦Ｂ２１がタッチ操作された場合、操作のあった親機１又は副親機１２のモニタ画面は、上述したように図８（ｂ）に示す画面に切り替わり、「映像通話」の文字表示Ｉ２と、逆光／順光状態に応じた映像の補正用操作釦Ｂ２３、通話音量の調整用操作釦Ｂ２４、カラー画面／白黒画面の切り替え釦Ｂ２５、明るさ調整用釦Ｂ２６、そして図８（ａ）の画面に戻る「戻る」釦Ｂ２７及び「終了」釦ＢＥを夫々表示し、夫々の操作ができるようになる。尚以後の各モニタ画面に表示される「戻る」釦Ｂ２７も当該表示画面に切り替わる前の画面に戻るための操作釦を構成するものである。
【００６１】
一方、ドアホン子器２又は２’からの呼出に対して一定時間経過しても親機１或いは副親機１２又は１２ａの何れにおいても通話釦Ｂ０の操作が行われ無かった場合には待機状態に戻る処理が親機１のＣＰＵ部３０により行われるようになっている。
【００６２】
またドアホン子器２（又は２’）との通話中において、他のドアホン子器２又は２’からの呼出があると、親機１、副親機１２では、呼出音による報知と、モニタ画面でのテキストによる呼出元を示す表示が行われる。また通話中に当該親機１又は副親機１２（又は１２ａ）で室内呼出釦Ｂ２を操作すれば保留転送が可能となる。尚呼出中においてもタイマ機能の動作による設定時間経過表示、アラーム機能の予定時刻到来時にはサインピクト表示等も行われる。
【００６３】
ところで来訪者が不審者等で通話が必要とない場合には、操作釦２９をタッチ操作すれば、親機１のＣＰＵ部３０の制御の下で、来訪者に対して「お引き取り」を願うための報知音（メロディ音や音声でも良い）をドアホン子器２から報知させることができる。
【００６４】
さて、この来訪者との通話は一定時間経過するか、通話中の親機１又は副親機１２で「終了」釦ＢＥの操作が行われると、親機１のＣＰＵ部３０の制御の下で待機状態に戻る。
【００６５】
尚上述の通話終了後に一定時間（例えば１０秒）以内に通話していた親機１又は副親機１２（或いは１２ａ）側で通話釦Ｓ０の押し操作があれば、親機１のＣＰＵ部３０の制御の下で、対応するドアホン子器２（或いは２’）との通話路が確立されて延長通話が可能となる。
【００６６】
さて上述の呼出中に録画録音に対応する操作釦Ｂ２２が操作されると、ＣＰＵ部３０の制御の下で、来訪者Ｍの静止画を録画処理と、通話音声の録音処理とが開始され、静止画データ及び通話音声データがデジタルデータとしてフラッシュＲＯＭ４５に記録される。そして図９に示すようにモニタ画面には録音中の文字と、日付や時刻の文字が表示され、また日付、時刻データは上記録画／録音のデータに対応してフラッシュＲＯＭ４５に記録される。つまりフラッシュＲＯＭ４５とＣＰＵ部３０とで録画手段が構成され、また後述する再生の手段を構成する。
【００６７】
この図９のモニタ画面では、録音を途中で停止させるための録音停止の操作釦Ｂ２８が表示され、この操作釦Ｂ２８が操作されると、ＣＰＵ部３０は録音動作を停止する。尚本実施形態では手動による録画録音操作時には、録画動作は例えば１枚の静止画記録が終了すると停止するようになっているが、録画録音の操作釦Ｂ２２を操作すれば、その時点の来訪者の静止画を再録画することができるようになっている。この操作釦Ｂ２２の操作による再録画は一定時間経過毎に有効となる。
【００６８】
この録画録音された静止画及び音声はメニュー画面の録画録音再生の操作釦Ｂ３の操作で呼出した図１０に示す再生操作用のメニュー画面での操作で再生させることができる。この画面では、略右半分には録画／録音されたデータ別に録画／録音した日付と時刻とを表示した選択釦Ｂ３４…が上下方向に配置表示される。このモニタ画面では一度に表示可能なデータ数は４つであるため、右端に表示されている上下のスクロール釦Ｂ３５，Ｂ３５で別のデータに対応する選択釦Ｂ３４をスクロール表示させることができるようになっている。またこの図１０の画面では左側にどのドアホン子器２による映像／通話音声かを示す文字（図では玄関に設置されたドアホン子器２を示す「玄関カメラ１」という文字が表示されている）を表示する表示部Ｄ１が設けられている。また下段には選択釦Ｂ３４のタッチ操作で選択されて録画録音データに対して再生を指示する操作釦Ｂ３６、更に保存を指示する操作釦３７、消去を指示する操作釦３８、そして全データの削除を指示する操作釦３９と、メニュー画面に戻るための操作釦Ｂ２７及び待機状態に移行させる「終了」釦ＢＥを夫々表示している。また選択釦Ｂ３４…の左端には対応するデータが未再生の場合には「未」という文字を、また再生済みで保存されている場合には「済」という文字を表示するとともに右端に「保」という文字を表示するようになっている。
【００６９】
そしてユーザである家人において図１０のモニタ画面から再生したいデータがある場合には対応する選択釦Ｂ３４をタッチ操作して選択して操作釦３７を操作すれば良く、この操作があると、親機１のＣＰＵ部３０では対応する録画録音のデータをフラッシュＲＯＭ４５から読み出して映像信号、音声信号に戻す処理と、操作があった親機１或いは副親機１２で再生させるための制御処理を行い、親機１或いは副親機１２のモニタ画面で静止画を、スピーカＳＰで音声を夫々再生させる。そしてこの再生後当該データが保存する必要がある場合には操作釦Ｂ３７を操作すれば、当該データが未再生のデータであった場合には対応する選択釦３４の左端の「未」という文字を「済」という文字に、また右端に保存を示す「保」という文字がＣＰＵ部３０の制御の下で表示される。また消去したい場合には操作釦Ｂ３８を操作すれば良く、この操作に呼応してＣＰＵ部３０は当該データをフラッシュＲＯＭ４５から消去する処理を行うとともに、当該データに対応する選択釦３４による表示を無くす処理を行う。
【００７０】
尚全てのデータを消去したい場合には操作釦３９を操作すれば良くこの操作に呼応してＣＰＵ部３０は全データをフラッシュＲＯＭ４５から消去する処理を行うとともに、選択釦３４による表示を無くす処理を行う。
【００７１】
また本実施形態のようにインターネット６０１に接続され、外部のセンターサーバ６０２によるサービスを受けている場合には、このセンターサーバ６０２側に設けられている録画録音データベースに録画データ、録音データを転送する処理をＣＰＵ部３０によって行われ、フラッシュＲＯＭ４５の容量以上のデータが保存できるようになっている。この保存データは、インターネット６０１を通じて呼出してＷＥＢブラウザで再生／消去することができるもので、この場合インターネット６０１に接続されているパーソナルコンピュータやＷＥＢブラウザを備えた携帯電話機Ｔ、更に親機１に搭載しているＷＥＢブラウザを利用して再生映像及び再生音声を確認することができるとともに消去操作もできる。また親機１や副親機２でのセンターサーバ接続選択によって、センターサーバ６０２から保存データを転送させてその保存データの映像や音声の再生確認が行え、また消去操作ができるようになっている。
【００７２】
ところで上述の通話動作はドアホン子器２、２’側からの呼出の場合であったが、待機状態で親機１又は副親機１２（又は１２ａ）で通話釦Ｓ０を操作すると、操作した親機１又は副親機１２（又は１２ａ）のモニタ画面には親機１のＣＰＵ部３０の制御の下で、ドアホン子器２又は２’を設置している場所に対応した選択釦Ｂ３０…のアイコンが表示される（図１１（ａ）参照）。そして操作者（家人）は呼出したいドアホン子器２（又は２’）の場所に対応する選択釦Ｂ３０…をタッチすれば図１１（ｂ）のようにドアホン子器２の場合には、ＴＶカメラが撮像した映像（図１１（ｂ）では来訪者の映像Ｍ）と各種操作釦が表示される。このモニタ画面では、図８（ａ）の場合の操作釦表示に加え、図９（ａ）の画面に戻る子器切り替え用操作釦Ｂ３３が表示される。
【００７３】
このように通話釦Ｓ０の操作をトリガとした通話は、「終了」釦ＢＥの操作があるか若しくは通話開始から一定時間（例えば１分）が経過すると自動的に待機状態に戻る処理がＣＰＵ部３０の制御の下で為される。
【００７４】
尚選択釦Ｂ３０…を示すアイコンの大きさは、その数が多ければ小さく、逆に少なければ大きくなるようにＣＰＵ部３０の制御の下でグラフィックス生成回路３９により生成されるようになっている。
【００７５】
前記呼出通話はドアホン子器２、２’と親機１又は副親機１２（又は１２ａ）との間に関するものであったが、親機１と副親機１２（又は１２ａ）との間、或いは副親機１２（又は１２ａ）と別の副親機１２（又は１２ａ）との間の宅内通話、つまり室内通話のための室内呼出を行う場合には、室内呼出を行う側の家人が親機１又は１２（又は１２ａ）の室内呼出釦Ｓ２をまず操作する。この操作により親機１のＣＰＵ部３０の制御の下で、発呼側が親機１又は副親機１２の場合にはそのモニタ画面に図１２に示すように当該世帯の副親機１２又は１２ａ又は親機１を個別に呼出すための呼出釦Ｂ４０…と、一斉に呼出すための呼出釦Ｂ５０、予め設定したグループ単位での呼出を行う呼出釦Ｂ５１、Ｂ５２と、他の世帯に切り替えるための切り替え釦Ｂ５３のアイコンが表示される。つまり宅内通話選択画面が表示される。システムが２世帯住宅に対応していない場合には切り替え釦Ｂ５３は不要なため表示されないように設定しておく。
【００７６】
ここで個別呼出の場合には呼出釦Ｂ４０…から選択し、グループ呼出の場合には呼出釦Ｂ５１又は５２を、更に一斉呼出の場合には呼出釦Ｂ５０を操作する。
【００７７】
また呼出先が別の世帯に属する場合には切り替え釦Ｂ５３を操作する。この場合には別の世帯に対応する呼出釦Ｂ４０…、Ｂ５０、Ｂ５１、Ｂ５２の表示画面に切り換わり、別世帯に対する個別、グループ、一斉の呼出が選択できるようになる。
【００７８】
さて個別呼出を行ったとすると、これに対応して親機１のＣＰＵ部３０の制御の下で発呼側のモニタ画面に図１３（ａ）に示すよう発呼側の人物と場所を示す文字からなる画像Ｘと、着呼側の人物と場所を示す文字からなる画像Ｙと、呼出方向を示す矢印とが表示される。一方着呼側では図１４（ａ）に示すよう発呼側の人物Ｘと場所を示す文字からなる画像と、着呼側の人物と場所を示す文字からなる画像Ｙと、呼出方向を示す矢印Ｚとが表示される。
【００７９】
そして着呼側で通話釦Ｓ０が操作されて、親機１のＣＰＵ部３０の制御の下で、発呼側と着呼側との通話路が確立されると、矢印Ｚが両方向を示す矢印に変わり、通話中であることを表示する（図１３（ｂ）、図１４（ｂ）参照）。
【００８０】
尚図１３（ａ）、図１４（ａ）の画面では通話音量の切り替えの釦Ｂ６０、再呼出動作を開始させる釦Ｂ６１、図１１の画面に戻すための「戻る」釦Ｂ２７のアイコンが表示され、図１２（ｂ）、図１３（ｂ）の通話中の画面では、通話音量の切り替えの釦Ｂ６０のみが表示される。
【００８１】
この室内呼出の通話もドアホン子器２又は２’との通話と同様に「終了」釦ＢＥの操作か、通話開始から一分経過時に終了し、この終了によって待機状態に戻る。
【００８２】
次にモニタカメラ選択について説明する。このモニタカメラ選択の機能は、待機状態で親機１又は副親機１２のモニタ釦Ｓ３が操作されるか、メニュー画面上のカメラモニタの選択釦Ｂ６が親機１又は副親機１２でタッチ操作されることで有効となる。
【００８３】
モニタカメラ選択の機能が働くと、親機１のＣＰＵ部３０の制御の下で、各モニタ装置３７、６３のモニタ画面が図１５（ａ）に示すようにシステムに接続されている監視カメラ３ｂ（ドアホン子器２のＴＶカメラやセンサカメラ３ａのＴＶカメラ）やＷＥＢカメラ４０３の個々に対応した選択釦Ｂ７０…のアイコンが表示された画面に切り替わる。この画面では画面の内容（この場合「モニタ選択」）を示す文字表示及び待機状態に戻るための「終了」釦ＢＥも表示される。
【００８４】
ここでシステム構築時に予め接続される監視カメラ３ｂ、センサカメラ３ａ、ＴＶカメラ付きドアホン子器２の数とその場所、ＷＥＢカメラ４０３の数と個別番号が設定されて親機１のフラッシュＲＯＭ４５の所定エリアに登録されており、ＣＰＵ部３０はこの登録データに基づいてグラフィック生成回路３９で各選択釦Ｂ７０…に対応する各カメラの設置場所名或いはカメラ番号を記入した選択釦のアイコン画像データを作成させる処理を行うようになっている。また表示釦数によって選択釦の大きさを変えるように画像データを作成させるようになっている。この表示釦数によって選択釦の大きさを変える処理は、各モニタ画面において表示する機能の操作釦や選択釦についても機能の数によって適用される。
【００８５】
而して例えば玄関に設置した監視カメラ３ｂを選択する選択釦ＳＢ１が親機１又は副親機１２でタッチ操作されると、親機１のＣＰＵ部３０ではセレクタ回路３４を通じて当該監視カメラ３ｂの映像を取り込み、操作があった親機１又は副親機１２のモニタ画面に映し出す処理を行う。
【００８６】
図１５（ｂ）はそのモニタ画面を示しており、このモニタ画面ではモニタ中の監視カメラ３ｂに対応して、「玄関カメラ１」という文字を表示するとともに、対応した機能、例えば当該位置の電気錠９又は１０６の操作釦Ｂ２０、映像通話の操作釦Ｂ２１、カメラ切り替え操作釦Ｂ７６、録画録音の操作釦Ｂ２２のアイコン及びアイコンを非表示とするための操作釦Ｂ０を画面下に映し出し、更に操作釦２０に対応させて電気錠の状態を示すアイコンＩ１を表示する。このようにして任意のときに、任意の場所のカメラモニタが行えることになる。
【００８７】
次に本システムの特徴である制御・監視関連について説明する。
【００８８】
まず図７の基本のメニューからシーン選択釦Ｂａ〜Ｂｄを操作することで、選択された生活シーンに対応した動作モードの制御・監視が自動的に親機１のＣＰＵ部３０の制御の下で実行されるが、例えば「外出」に対応するシーン選択釦Ｂａが操作されると、ＣＰＵ部３０の働きにより住宅全体の防犯・防災の設備の警戒状態セット、不要な照明の消灯、空調機器８の運転停止、電気錠設備の施錠等を自動的に行う制御・監視が自動的に為される。これにより電気錠設備の閉め忘れや、照明の消し忘れ、或いは空調機器８の停止忘れを防ぐことができるようになっている。
【００８９】
さて上述のようにシーン選択釦Ｂａが操作されると、電気錠９…、防犯センサ６…、火災センサａ、ガスセンサ５ｂの夫々の状態に異常がなければＣＰＵ部３０の制御の下で、一定時間後〔例えば６０秒後）に警戒状態に入ることを示すメッセージが図１６（ａ）に示すように表示され、一定時間後に警戒状態にセットされる。このセットされる前にキャンセル釦Ｂ１００が操作されるとＣＰＵ部３０の制御の下で、図７のメニュー画面に戻る。
【００９０】
また窓などに設けた防犯センサが異常を検知するような場合には、その警戒状態にセットできない旨と、異常を検知している場所を示すメッセージが図１６（ｂ）に示すように表示されてユーザに知らせる。そしてユーザが「戻る」釦Ｂ１０１を操作するとメニュー画面に戻る。尚釦１０２ａ、１０２ｂは検知場所の表示をスクロール表示させるための釦である。
【００９１】
さて「外出」の生活シーンに対する警戒セットが有効になると、各副親機１２の表示部７０の留守ランプ（図示せず）が点灯するとともに親機１の操作表示部５２に設けた留守ランプ（図示せず）が点灯することになる。
【００９２】
この「外出」の生活シーンに対応する警戒セット下で、ドアホン子器２又は２’からの呼出があれば、親機１のＣＰＵ部３０は自動的に来訪者の静止画の録画と音声の録音をフラッシュＲＯＭ４５にて行う。またセンサカメラ３ａの動作があると、センサカメラ３ａの撮像した映像の静止画を録画する。つまり自動的に録音・録画機能が働くことになる。
【００９３】
ところで、警戒セット中に防犯センサ６…、火災センサ５ａ、ガスセンサ５ｂなどが作動すると、増設ベル１０を鳴動させるとともに、出力接点部２８をオンして自動通報機１９により予め登録されている所定の電話番号先へ音声により通報する。またゲートウェイ４００から宅内ＬＡＮ、インターネット６０１を通じてセンターサーバ６０２に対して予め登録しているメールアドレスへ異常発生に応じた内容の電子メールを送信させる指示コマンドを送る処理をＣＰＵ部３０の通報処理機能によって行う。
【００９４】
これによってセンターサーバ６０２からは異常通報の電子メールが所定のメールアドレスに送信されることになる。つまり電話番号先への音声通報によって即時性を確保し、且つ電子メールによって確実に伝達を行うのである。従って携帯電話機Ｔのように電話通話と電子メールの受信がともにできるものを通報先とすれば、両者の短所を補うことで通報を確実なものとできる。
【００９５】
また「外出」シーンの制御・監視動作において、上述のように録画・録音機能が自動的に働くようにしているが、ユーザが画像表示可能な携帯電話機Ｔを所有している場合には、録画される画像を当該ユーザの携帯電話機Ｔのメールアドレス宛に電子メールの添付書類として画像データを送付するようにしても良い。或いは画像データをセンターサーバ６０２へ一旦転送し、このセンターサーバ６０２のＷＥＢサーバ機能にユーザが所有するＷＥＢブラウザ機能搭載の携帯電話機Ｔ等のネット端末でアクセスして画像データをネット端末側へ送らせ、閲覧できるようにしても良い。
【００９６】
次に「外出」中の家人が帰宅した場合には、まず防犯センサ６…の検知動作による警報動作が起きないように警戒状態をリセットする操作（例えばカードキー２０５による電気設備の解錠操作や警戒セット／リセット操作器１０４の操作或いは携帯電話機からの操作、更には玄関回りに設けたシークレットスイッチの操作）を行ってから、宅内に入って親機１或いはメニュー釦Ｓ１を操作する必要がある。そこで帰宅した家人は警戒リセットを行って宅内に入る。この警戒リセット状態はＣＰＵ部３０の制御の下で一定時間経過するまで保持されるが、その後は再び警戒セット状態に自動的に戻る。これにより、再度警戒状態にセットする手間を省くとともに、セット忘れを防ぎ、高い防犯性を確保することができる。
【００９７】
さて宅内に入った家人は親機１或いは副親機１２のメニュー釦Ｓ１を押すと、親機１のＣＰＵ部３０は留守中に警報発報の有無を判定し、なければ待機状態のモニタ画面に基本のメニュー画面（図７参照）を映し出す制御を行うが、留守中に防犯センサ６等が異常を検知していた場合には図１７（ａ）に示すように警報発報があったことを示す画面をモニタ画面に映し出して家人に知らせる。この画面で警報発報があったことを確認した家人は「確認」釦Ｂ１０３を押し操作して確認したことを親機１のＣＰＵ部３０に示す。これによってＣＰＵ部３０はモニタ画面に基本のメニュー画面を映し出す制御を行う。
【００９８】
さてモニタ画面に基本のメニュー画面が映し出されると、家人は「在宅１」或いは「在宅２」に対応するシーン選択釦Ｂｃ又はＢｄを操作し、ＣＰＵ部３０の制御・監視動作を「外出」シーンに対応させた動作モードものから「在宅」シーンに対応させた動作モードに移行させる。
【００９９】
ここで「外出」のシーンから上述のように他のシーンの動作モードが選択された場合には、制御・監視の動作を選択されたシーンに対応させたものに移行する前に、ＣＰＵ部３０は操作者に暗証番号の入力を要求する画面（図１７（ｂ））をモニタ画面に表示させる。この暗証番号の入力要求は、留守中に侵入者が勝手に「外出」中の状態を解除するのを防いで防犯性を高めるためのものであって、「外出」のシーンの動作モードから他のシーンの動作モードに切り替え設定する場合には暗証番号の入力を不要としている。つまり防犯性を損なうことなく、暗証番号を入力する煩わしさを無くすようにしている。
【０１００】
この暗証番号の入力画面ではテンキーＫが表示され、家人はこのテンキーＫで登録している暗証番号を入力した後、完了釦Ｂを押す操作を行う。この親機１のＣＰＵ部３０は完了釦Ｂ１０４の押し操作があると、テンキーＫで入力された番号が予めフラッシュＲＯＭ４５に書き込み登録されている暗証番号と一致するか否かの判断を行い、一致しない場合には図１７（ｃ）に示す再入力を要求する画面をモニタ画面に表示させる。尚「クリア」釦Ｂ１０５は入力した番号を修正する際に用いる消去釦である。
【０１０１】
さて入力（再入力）された番号が登録されている暗証番号と一致するとＣＰＵ部３０は、「在宅１」或いは「在宅２」シーンにおける、防犯状態の設定画面（図１８（ａ））をモニタ画面に表示させる。
【０１０２】
この画面は、「在宅」シーンにおいては、在宅する人数、在宅者、時間帯により防犯警戒状態を必要とする箇所、場所が異なるため、「在宅」シーンに対応する制御・監視に移行する前に、警戒状態にセットする防犯センサ６や、その場所をこの画面上で選択操作することで設定できるようになっており、同図で「正常」「報知」「警戒」「切」「開」の文字が夫々の設定或いは状態内容を示し、これらの文字の表示窓をタッチ操作して表示を切り替えることでセンサの設定変更や状態を確認できる。それらの文字の下方に示す「防犯１」「１Ｆ」などがそのセンサ或いは場所を示す。
【０１０３】
そして設定が終了すると、或いは現在の設定内容を確認した家人が「セット
釦Ｂ１０６を操作すれば、この操作に呼応してＣＰＵ部３０は、モニタ画面に選択された「在宅１」或いは「在宅２」のシーンに対応する制御・監視がセットされたことを表示した後、対応する制御・監視動作に移行し、所定時間経過後にモニタ画面の表示を待機状態に戻す。尚「戻る」釦２７を操作すれば。図７のメニュー画面に戻すことができる。
【０１０４】
ところで「外出」シーンに対応する制御・監視動作から「在宅１」或いは「在宅２」の制御・監視動作に移行する際に、ＣＰＵ部３０はフラッシュＲＯＭ４５に外出中に録画・録音されたデータがある場合には、モニタ画面に録画・録音があったことを示す画面（図１８（ｂ））を表示させる。この画面を見た家人が画面上の「確認」釦Ｂ１０８を操作すると、ＣＰＵ部３０は再生操作のための画面に切り替え、この画面で録画・録音の再生操作や、データ消去などの操作ができる。そしてこの画面（図示せず）において全データの再生或いは終了釦（図示せず）の操作があると、ＣＰＵ部３０は、上記のように所定時間経過後にモニタ画面を待機状態に戻す。尚図１８（ｂ）に示す画面で「終了」釦１０９が操作された場合にもモニタ画面を待機状態に戻す。
【０１０５】
ここで本実施形態では「在宅」シーンの制御・監視動作内容を、２種類、予め準備し、一方を「在宅１」シーンのシーン選択釦Ｂｃの操作で、他方を「在宅２」シーンのシーン釦Ｂｄの操作で選択できるように割り当てている。
【０１０６】
尚本実施形態では、「在宅１」「在宅２」の２種類の「在宅」に関する動作モードを選択できるようにしているが、「外出」シーンの制御・監視動作内容を短期用の「外出１」、長期用の「外出２」というように２種類準備してこれらの動作モードを選択できるようしても良い。つまりユーザの家庭に応じて、４つのシーン選択釦Ｂａ〜Ｂｄに対応する制御・監視動作内容を設定割り付けることで、４種類の生活シーンの動作モードをワンタッチ操作で設定できるのである。
【０１０７】
「就寝」シーンに対応するシーン選択釦Ｂｂが、「在宅１」或いは「在宅２」のシーン選択状態から操作されると、ＣＰＵ部３０は現在の警報状態や戸締まり状態をモニタ画面に表示させ、当該画面から家人の確認操作後、「就寝」シーンに対応して設定されている制御・監視内容に基づいてた動作モードに移行する。
【０１０８】
勿論「外出」のシーン選択状態から「就寝」シーンが選択された場合には上述の「外出」シーンの動作モードから「在宅１」或いは「在宅２」シーンの動作モードへの切り替え移行時と同様に「暗証番号」の入力を経て「就寝」シーンの動作モードへ移行することになる。
【０１０９】
また「就寝」或いは「在宅１」、「在宅２」のシーンの動作モードから「外出」シーンの動作モードに対応するシーン選択釦Ｂａが操作されると、上述の暗証番号の入力過程が省略され、ＣＰＵ部３０は現在の警報状態や戸締まり状態をモニタ画面に表示させ、当該画面から家人の確認操作後、「外出」シーンの動作モードへ移行する。また「就寝」のシーンの動作モードから「在宅１」或いは「在宅２」のシーンの動作モードへ、「在宅２」或いは「在宅」のシーンの動作モードから「就寝」シーンの動作モードへ、「在宅１」又は「在宅２」のシーンの動作モードから「在宅２」又は「在宅１」の動作モードへ移行する前には、上述の暗証番号の入力は不要で、ＣＰＵ部３０は現在の警報状態や戸締まり状態をモニタ画面に表示させ、当該画面から家人の確認操作後、夫々のシーンの動作モードへ移行する。
【０１１０】
ここで各シーンの動作モードへ移行する前に現在の警報状態や戸締まり状態をモニタ画面に表示させ、家人の確認を求めるのは、戸締まり忘れ等を防ぐための注意喚起のためである。
【０１１１】
また「外出」或いは「就寝」シーンにおいては、防犯・防災の警戒状態は一律に決まるため、「在宅１」或いは「在宅２」のシーンのようにシーンを切り替える際に設定・選択の操作を要求せず、ユーザに手間を掛けないようにしている。
【０１１２】
更にまた「外出」或いは「就寝」シーンにおいては、照明器具１０５、３０１の制御を、次のように設定されている。つまり「外出」シーンに対応する制御では、予め設定した時間帯だけ、予め設定している照明器具１０５や３０１を点灯させるというスケジュール制御を行い、恰も家人が在宅しているように振る舞わせ、不審者への威嚇を行う。また「就寝」シーンに対応する制御では、例えば廊下や寝室等に設置している照明器具１０５，３０１の豆球のみを点灯させることにより、目に優しく、眠気を覚まさない等の快適性を保つ制御を行う。
【０１１３】
尚各シーンの動作モードにおける照明設備，電気錠設備、空調設備等の機器制御は、昼夜の時間帯、季節、天候により一律に決まらないため、メニュー画面の操作釦Ｂ１…の表示部位に表示される操作釦が操作されると、夫々の各シーンにおける各機器の制御内容が設定できる画面をモニタ画面に表示させる機能を親機１のＣＰＵ部３０は備え、ユーザにより予め設定できるようになっている。例えば、「オン」「オフ」「変化させない」から三択できるようにしてフレキシブルに対応できるようにしている。
【０１１４】
また本実施形態では、外出先から、ユーザが携帯電話機Ｔを用いて現在選択されているシーンの確認を行え、且つ「外出」シーンの設定忘れ時には「外出」シーンへの設定ができるようになっている。
【０１１５】
つまりユーザ宅の現在のシーン設定内容はインターネット６０１を通じてセンターサーバ６０２へ送られており、このシーン設定内容は各ユーザ毎に割り当てているＷＥＢページを通じて閲覧できるようなっている。例えばＷＥＢブラウザを搭載している携帯電話機Ｔを用いてユーザはセンターサーバ６０２のＷＥＢサーバ機能が提供するユーザ毎の設定ページに暗証番号の認証を経てログインし、この設定ページで現在の設定内容を確認するのである。またこのとき宅内に家人が居らず、外出中でありながら、「外出」シーンの制御・動作状態に設定されていない場合には、この設定内容を携帯電話機Ｔをモード設定手段として動作させ、そのＷＥＢ画面上で変更設定することができのである。この変更情報を受け取ったセンターサーバ６０２はインターネット６０１を通じて当該ユーザ宅のゲートウェイ４００を介して親機１に設定変更コマンドへ渡すようになっている。親機１ではＣＰＵ部３０は現在の設定内容を設定変更コマンドの状態に基づいて「外出」のシーンの制御・監視動作内容に切り替え、現在の制御・監視動作を「外出」のシーンの動作モードへ移行する。
【０１１６】
このようにすることで、本実施形態では、ユーザが外出先で現在の設定されているシーンを確認することができ、シーンの設定忘れなどの気がかりを解消できる。
【０１１７】
更に本実施形態の親機１のＣＰＵ部３０では、電力消費計量情報盤２０８からのデータに基づいて現在の電力消費状態を監視して、電力消費がピークカットに対応する値に達すると予め設定している空調設備の運転を停止させ、電力消費がピークカット終了に対応する値に収まると、運転停止させた空調設備の運転を再開させる制御を行う機能を備えているが、空調設備の運転を停止させた後、上記の「外出」シーンの制御・監視動作状態下で、電力消費がピークカット終了に対応する値に収まっても空調設備の運転再開を行わないようになっている。つまり空調設備として暖房器具を用いている場合、家人が不在時に運転が再開されて、万が一、火災発生等の事態を発生させるなどいう原因を作らず、安全なシステムを提供できる。また余計な運転再開によるエネルギの浪費を防ぐこともできる。
【０１１８】
勿論運転の再開の有無の設定を可能とすることで、ユーザの好みに応じた空調設備運転を可能としても良い。
【０１１９】
さて本実施形態のシステムでは、前記のインターホン系の機能、防災、防犯に関するセキュリティ系の機能の他に宅内の照明器具１０５、３０１等を遠隔制御できる機能を備えており、この機能を動作させる場合には、メニュー画面を呼出すコントロール用の操作釦Ｂ４を操作する。これにより操作が為された親機１或いは副親機１２のモニタ画面に親機１のＣＰＵ部３０の制御の下で図１９（ａ）に示すコントロール用の操作画面を呼出すことができる。この画面では照明器具１０５、３０１の操作に関する動作を選択する選択釦Ｂ７０…が表示される。図中の選択釦Ｂ７０は、就寝時の照明器具の点灯制御、選択釦Ｂ７１は起床時の照明器具１０５、３０１の点灯制御、選択釦Ｂ７２は、外出中の照明器具１０５、３０１の点灯制御、更に選択釦Ｂ７３は全ての照明器具の点灯制御、選択釦Ｂ２３は全て照明器具１０５、３０１の消灯制御に対応し、これら選択釦での選択後「セット」釦Ｂ７４を操作することで制御情報がＣＰＵ部３０によって生成され、所定の信号形式に変換された後、制御監視系のバス１４を通じて対応する端末へ送信される。「戻る」釦Ｂ２５を操作すれば基本のメニュー画面に戻り、「終了」釦ＢＥを操作すれば待機画面に戻る。
【０１２０】
勿論照明器具以外の機器の操作画面を呼出す場合には切り替え釦Ｂ２００を操作すれば他の機器の操作に関する画面（図１９（ｂ）参照）に切り替えることができる。図中Ｂ２０１は照明器具に対応する画面への切り替え釦である。そしてこれらの画面の選択釦と対応する照明器具１０５、３０１や機器との関係テーブルを親機１内のフラッシュＲＯＭ４５の所定エリアに格納しており、操作があるとＣＰＵ部３０は、照明器具１０５、３０１であればバス１４を通じて制御を行うための制御信号を送信するようになっている。尚ＪＥＭ−Ａ規格の空調機器８の場合にはＩ／Ｆ回路４７を通じて制御信号を送信する。勿論動作確認を把握する処理も同時に行う。
【０１２１】
さて本実施形態のシステムでは、ガスメータ１０７、水道メータ１０８、電力メータ１０９により夫々の計測情報を収集蓄積しており、これらの情報を、メニュー画面の対応する選択釦（図示せず）を表示させて操作することで、現在の消費量、累積消費量、月末予想料金や、ＣＯ２換算値等の数値表示やグラフ表示をモニタ画面に表示させることができるようになっている。
【０１２２】
また操作釦Ｂ１を操作することで、キッチンタイマ機能を呼出してＣＰＵ部３０のタイマ機能の制御の下でアラーム音を親機１や副親機１２のスピーカＳＰを利用して報知させる時刻、アラーム音の種類、音量等の設定、登録ができるようになっている。また操作釦Ｂ２を操作することで薬などの投薬時間を報知するためのＣＰＵ部３０のタイマ機能を呼出して、ＣＰＵ部３０の制御の下でアラーム音をスピーカＳＰを利用して報知させる時刻、アラーム音の種類等の設定、登録ができる機能も備わっている。つまりこれらのタイマ機能で種々のスケジュール管理が行える。
【０１２３】
更に家族間での伝言を登録する機能が備わっており、この機能は操作釦Ｂ２を操作すれば呼出すことができ、この画面下で親機１又は副親機１２のマイクＭＩＣを利用して伝言メッセージをフラッシュＲＯＭ４５にＣＰＵ部３０の制御の下で録音させることができる機能である。この伝言メッセージの登録情報は伝言メッセージ毎に画面に表示される。また伝言メッセージの再生はこの画面で表示される釦の操作で行えるようになっている。
【０１２４】
またメニュー画面の操作釦には本システムでの必要な設定を行うための画面を呼出す操作釦（図示せず）を表示させることができ、その画面では上述の動作、機能に必要な設定を行えるようになっている。
【０１２５】
センターサーバ６０２に対してゲートウェイ４００と宅内ＬＡＮ、インターネット６０１を通じて親機１を接続している場合において、上述した録画録音のデータ保存、更に電子メールの通報、更にガスセンサなどの交換時期の通知、自動通報機１０９の停電用バッテリーの交換の通知などのサービスを受ける場合にセットするための操作釦もある。
【０１２６】
ところで、上述の留守モードや就寝、在宅等の警戒モードではモニタ画面上での操作で自動的に警戒セット状態に入り、その解除は電気錠９の解錠によって警戒セットが解除されるようになっているが、本実施形態ではＲＳ４８５の系を用いてワイヤレス警戒セット／リセット送受信器１０４による警戒セット／リセットの設定操作も可能となっている。
【０１２７】
つまり設置する住宅が広く、前記一定時間内では敷地外へ出ることができない場合においては、予めワイヤレス警戒セット／リセット送受信器１０４を用いることを設定しておけばワイヤレス警戒セット／リセット送受信器１０４からのセット情報が親機１のＣＰＵ部３０へ送られてきたときに警戒セット状態になる。
【０１２８】
また帰宅時の警戒セットのリセットも同様に敷地内に入る前に操作することで行える。
【０１２９】
またＪＥＭ−Ａ規格の電気錠９では誰が解除したかの情報を取り込むことはできないが、本実施形態ではＲＳ４８５系の端末としてカードキー２０５を用いる電気錠操作器２０４を使用することができるようになっているため、カードキー２０５の識別コードを親機１のＣＰＵ部３０によって解錠する際の認証を行うとともに認証コードから誰が解錠したかを履歴情報としてフラッシュＲＯＭ４５に保存する機能を備えている。従って本実施形態では、この電気錠操作器２０４を用いた場合には、警戒セットが解除されると予め登録されているメールアドレスに対して警戒セットのリセット情報とリセットした人物情報を電子メールとしてセンターサーバ６０２経由で送ることで外出中の家人に、家族の帰宅を知らせることができるようになっている。
【０１３０】
本実施形態では、インターネット６０１に宅内ＬＡＮとゲートウェイ４００を介して接続しているので、上述の録画録音の再生、消去、電気錠９、１０６の施錠や、電気錠１０６側の開戸、閉戸の確認、照明器具１０５、３０１の制御操作、警戒セット／リセットの確認、ＷＥＢカメラ４０３の映像のリアルタイムの確認、センサ連動の録画録音の設定と再生操作、警報履歴の閲覧なども携帯電話機Ｔ、パーソナルコンピュータ等のインターネット端末によって行うことができる。また警報時の通報と同様に留守中の来客通知（電子メール）も可能となっている。
【０１３１】
また上記の通話時の録画録音操作は手動の場合について説明しているが、自動的に録画録音を開始する動作を事前に設定できるようにしても良い。
【０１３２】
前記実施形態ではインターネット６０１や宅内ＬＡＮに親機１を接続しているが、接続しない場合にも自動通報器９による異常通報が行えるシステムを構築できる。
【０１３３】
また前記実施形態ではメニュー画面では選択釦Ｂ０…を表示しているが、込めニュー画面の階層下に、就寝のモード、在宅のモード、警戒解除モード、更には留守モード等を選択する画面を呼び出せるようにしても良い。
【０１３４】
また前記実施形態ではカードキー２０５での操作は解錠であったが、施錠操作に対応させても良く、この場合に警戒状態にセットさせる動作と連動させるようにしても良い。
【０１３５】
また上記カードキー２０５による解錠では電子メールで帰宅者を通報するようになっているが、親機１，副親機１２のモニタ画面に表示させても良い。また電子メールに並行して自動通報機１９を通じて電話による通報を行うようにしても良い。
【０１３６】
尚本実施形態では、親機１のＣＰＵ部３０は、親機１からバス１４を通じて接続される各設備に対してチェック用信号をバス１４を通じて送り、その信号に対する返信が夫々の設備からあれば当該設備が正常、なければ伝送異常と判断するチェック機能を備え、信頼性の高いシステムを構築するようになっている。
【０１３７】
更に、親機１のＣＰＵ部３０では、システムの時刻設定があった場合、計量情報盤２０８から収集してフラッシュＲＯＭ４５に蓄積していた情報を削除せず、それを保持しその蓄積情報を活用するようになっており、それによりフラッシュＲＯＭ４５の記憶容量の節約を図っている。
【０１３８】
またモニタ画面にて表示させる釦名は、使用される設備等が予め予測できないため、本実施形態では、未知の設備が用いられる場合、当該住宅側からセンターサーバ６０２側へ名称データを送ってセンターサーバ６０２側で当該名称を登録し、この登録名称を再使用することで、各住宅側の親機１での登録のためのメモリ使用を節約できるようなっている。
【０１３９】
ところで、上述のように互いに独立した住居エリアを持つ二世帯が生活している場合について、本実施形態では、夫々の世帯毎の生活シーンに対応した動作モードの制御・監視を設定することができるようになっている。
【０１４０】
この場合予め各副親機１２に備わっているディップスイッチ（図示せず）により何れの世帯に属するものかを予め設定し、次にメインメニューから工事登録画面（図示せず）を呼出して、モニタ画面上から世帯数を一世帯から二世帯に設定する。この設定により親機１のＣＰＵ部３０は各副受信機６３の設定情報を取得して各副親機１２が属する世帯を登録する処理を行う。
【０１４１】
これにより以後各世帯に属する親機１或いは副親機１２を用いて夫々の生活シーンに対応した動作モードについてその制御・監視内容を設定することができることになり、例えば「在宅」の生活シーンの防犯の登録画面では図２０（ａ）（ｂ）のように夫々に対応する世帯での防犯設定、警戒エリアのみが表示される。ここで両世帯が共有する警戒エリアを１カ所のみとし、そのエリアを「敷地」として設定できる。そして「敷地」の警戒の設定内容は世帯別に保持し、両世帯で設定された内容の内警戒レベルの低い方の内容により警戒が設定される。また各世帯毎の警戒エリアでは当該世帯に対応した機器のみを連動設定することができ、また「敷地」に対しては世帯情報を問わず連動設定することができる。表１は「敷地」に対する各世帯Ａ（図２０（ａ）に対応），世帯Ｂ（図２０（ｂ）に対応）の設定と実際の設定内容の関係を示す。尚警戒レベルは警戒＞報知＞録画録音＞切の順位として下位の順位の内容で警戒設定される。
【０１４２】
【表１】
2004295408.tif 000003
【０１４３】
【発明の効果】
請求項１の発明は、宅内に設けた住宅設備、セキュリティ機器からなる端末と、
信号伝送路を介して制御対象の端末に対して制御情報を送り、監視対象の端末から送信される監視情報を受け取る制御・監視機能とを具備している制御・監視手段と、制御・監視手段の動作モードを設定するモード設定手段とから少なくとも構成される住宅用制御・監視統合システムにおいて、
上記制御・監視手段の動作モードとして複数の生活シーンに対して各別に対応付けてある動作モードを設けるとともに、各動作モード毎に制御対象の端末及びその制御内容と、監視対象の端末と、該端末の監視情報に基づいて制御対象となる端末及びその制御内容とを予め設定し、
上記モード設定手段によって動作モードが選択設定されると、当該動作モードに対応する端末の制御・監視を行うので、生活シーンに対応する動作モードを選択するだけで、自動的にその選択した生活シーンに対応する端末の監視・制御が行え、そのためユーザに操作設定の煩わしさを与えず、使い勝手に優れた住宅用制御・監視統合システムを提供できる。
【０１４４】
請求項２の発明は、請求項１の発明において、上記制御・監視手段には、インターネットに接続される通信機能を備え、
移動体通信網を介してインターネットに接続される移動体通信端末を、上記制御・監視手段へ上記移動体通信網とネットワークとを通じて「就寝」若しくは「在宅」の生活シーンに対応する動作モードから「外出」の生活シーンに対応する動作モードへ切り替える設定情報を送るモード設定手段として用い、
上記制御・監視手段は、「就寝」若しくは「在宅」の生活シーンに対応する動作モード設定下で、上記設定情報を上記通信機能を通じて受信すると、動作モードを「外出」の生活シーンに対応する動作モードに切り替え設定するので、外出時に動作モードの設定忘れがあっても、外出先から設定切り替えを行うことができ、設定忘れ等があって外出先から設定切り替えができるため、外出先でのユーザの気がかりを解消できる。
【０１４５】
請求項３の発明は、請求項２の発明において、少なくとも玄関子器と、該玄関子器を接続したインターホン親器とからなるインターホン系を付設し、上記外出の動作モード時に防犯センサからなる端末や玄関子器の呼出しに連動する監視カメラからなる端末が撮像した画像情報を対応する上記移動体通信端末へ転送させる画像転送機能を上記制御・監視手段に備えているので、外出中に来訪者や侵入者があっても、外出先で画像により来訪者や侵入者を確認することができ、そのため、夫々に対応した処置がとれやすくなる。
【０１４６】
請求項４の発明は、請求項１乃至３の何れかの発明において、上記「在宅」の生活シーンに対応する動作モードの設定時に当該動作モードの制御・監視動作へ移行する前に、防犯に対応する端末の制御・監視の内容変更を受け付ける期間を作る機能を制御・監視手段に備えているので、在宅人数や、在宅する者、時間帯などの在宅状況によって異なる防災・防犯の警戒状態等に応じて端末の制御・監視の内容をフレキシブルに設定できる。
【０１４７】
請求項５の発明は、請求項１乃至４の何れかの発明において、上記モード設定手段から「外出」の生活シーンに対応する動作モードから他の生活シーンに対応する動作モードへ切り替える設定情報を受け取ったときに、暗証番号の入力を設定手段側へ要求し、該要求に呼応して入力された暗証番号と予め登録されている暗証番号との一致時にモード切り替え設定を許可する暗証番号照合機能を制御・監視手段に備えているので、「外出」シーンの動作モードから他のモードへの切り替えを侵入者などが勝手に行うのを防いで、防犯性が損なわれないようにしている。
【０１４８】
請求項６の発明では、請求項１乃至５の何れかの発明において、一つの生活シーンに対応して設定される動作モードを複数準備し、上記モード設定手段に設けた動作モードを選択設定するための選択釦を、上記動作モード毎に対応付けるセット機能を設けているので、ユーザ宅の状況に応じた設定を可能として使い易さを向上させることができる。
【０１４９】
請求項７の発明は、請求項１乃至６の何れかの発明において、上記制御・監視手段の制御・監視機能には、「外出」の生活シーンに対応する動作モードの設定時に、予め対応付けてある照明器具からなる端末を制御対象として予め設定されている時間帯だけ点灯させる制御を行い、「就寝」の生活シーに対応する動作モードの設定時に、就寝の邪魔とならならない照明器具からなる端末を点灯させる自動照明機能を含むので、「外出」シーンで恰も家人が在宅しているように振る舞わせる照明や、「就寝」中に眠気を覚まさない等の快適性を向上させた照明を自動的に行うことができる。
【０１５０】
請求項８の発明は、請求項１乃至７の何れかの発明において、電力消費を監視する電力監視機器を端末として備え、上記制御・監視手段の制御・監視機能には、電力監視機器からの監視情報を取り込んで電力消費を監視し、予め設定されている電力値を超える場合に電力監視機器に対応付けてある空調設備からなる端末に対して運転を停止させ、動作モードが「外出」以外の生活シーンに対応する動作モード下で電力消費が一定電力以下に戻ると当該端末の運転させる制御を行う制御機能を含むので、外出中に不用意に空調設備の機器が運転されるなどの不都合を防止でき、しかも電力消費に応じて設備運転を制御することができるので、省エネルギ化を可能とする。
【０１５１】
請求項９の発明では、請求項１乃至８の何れかの発明において、上記制御・監視手段の各生活シーンに対応する動作モードの端末の制御・監視内容を、複数世帯の各世帯毎に設定する機能を具備しているので、複数世帯が同じ敷地に住むような場合に、夫々の世帯毎に対応した生活シーンの動作モードを制御・監視内容の設定が行える。
【図面の簡単な説明】
【図１】本発明の一実施形態の全体システム構成図である。
【図２】同上に用いる親機の回路構成図である。
【図３】同上に用いる副親機の回路構成図である。
【図４】（ａ）は同上に用いる照明マスタリモコンの回路構成図である。
（ｂ）は同上に用いる照明サテライトリモコンの回路構成図である。
【図５】同上に用いる電気錠操作器の回路構成図である。
【図６】同上に用いる計量表示盤の回路構成図である。
【図７】同上の親機、副親機のモニタ装置の画面に表示されるメニュー画面の表示例図である。
【図８】同上のドアホン子器からの呼出時のモニタ装置の画面表示例図である。
【図９】同上の録画録音動作時のモニタ装置の画面表示例図である。
【図１０】同上の再生動作時のモニタ装置の画面表示例図である。
【図１１】同上の親機、副親機からのドアホン子器呼出時のモニタ装置の表示例図である。
【図１２】同上の宅内通話時のモニタ装置の表示例図である。
【図１３】（ａ）は同上の宅内通話呼出時の発呼側のモニタ装置の表示例図である。
（ｂ）は同上の宅内通話呼出時の着呼側のモニタ装置の表示例図である。
【図１４】（ａ）は同上の宅内通話時の発呼側のモニタ装置の表示例図である。
（ｂ）は同上の宅内通話時の着呼側のモニタ装置の表示例図である。
【図１５】（ａ）は同上のカメラモニタの場所選択時のモニタ装置の表示例図である。
（ｂ）は同上のカメラモニタ時のモニタ装置の表示例図である。
【図１６】（ａ）は同上の警戒セット状態への移行用の画面例図である。
（ｂ）は同上の警戒セット状態への移行ができない場合の画面例図である。
【図１７】（ａ）は同上の「外出」シーンの監視・制御動作状態からのシーン切り替え設定時の警報報知の画面例図である。
（ｂ）は同上の「外出」シーンの監視・制御動作状態からのシーン切り替え設定時の暗証番号の入力用画面例図である。
（ｃ）は同上の「外出」シーンの監視・制御動作状態からのシーン切り替え設定時の暗証番号の再入力用画面例図である。
【図１８】（ａ）は同上の「在宅」シーンの監視・動作状態へ移行する前の防犯状態設定の画面例図である。
（ｂ）は「外出」シーンの監視・動作状態から「在宅」シーンの監視・動作状態へ移行する前の録画・録音データの存在を知らせる画面例図である。
【図１９】（ａ）は同上の制御監視系の照明器具の操作セット用の画面例図である。
（ｂ）は同上の制御監視系の別の端末の操作セット用画面例図である。
【図２０】（ａ）は同上の二世帯時における一方の防犯設定、警戒設定の例を示す画面例図である。
（ｂ）は同上の二世帯時における他方の防犯設定、警戒設定の例を示す画面例図である。
【符号の説明】
１  親機
２，２’  ドアホン子器
１２，１２ａ  副親機
１３  伝送線
１９  自動通報機
１４  バス
【図１】
2004295408.tif 000004
【図２】
2004295408.tif 000005
【図３】
2004295408.tif 000006
【図４】
2004295408.tif 000007
【図５】
2004295408.tif 000008
【図６】
2004295408.tif 000009
【図７】
2004295408.tif 000010
【図８】
2004295408.tif 000011
【図９】
2004295408.tif 000012
【図１０】
2004295408.tif 000013
【図１１】
2004295408.tif 000014
【図１２】
2004295408.tif 000015
【図１３】
2004295408.tif 000016
【図１４】
2004295408.tif 000017
【図１５】
2004295408.tif 000018
【図１６】
2004295408.tif 000019
【図１７】
2004295408.tif 000020
【図１８】
2004295408.tif 000021
【図１９】
2004295408.tif 000022
【図２０】
2004295408.tif 000023